(57)【特許請求の範囲】
【請求項１】
複数の導線を電気的に並列に接続してなるコイルが鉄心に複数相巻装されて構成される回転電機の製造方法であって、
前記コイルは、同相内に、それぞれ電気的に並列に接続され、それぞれに中性点が形成される複数の同相異並列回路を備え、
前記鉄心に前記コイルを巻装するコイル巻装工程およびコイルエンドを成形するコイルエンド成形工程の後に、同相の前記コイル内における前記同相異並列回路間の絶縁状態を検査する同相異並列回路間絶縁試験工程を含むことを特徴とする回転電機の製造方法。
【請求項２】
各相の前記コイルをまとめて中性点を形成する中性点かしめ工程の前に、同相の前記コイル内において前記導線間の絶縁状態を検査する同相並列導線間絶縁試験工程を含むことを特徴とする請求項１記載の回転電機の製造方法。
【請求項３】
異相の前記コイル間の絶縁状態を検査する異相間絶縁試験工程を含むことを特徴とする請求項１または２記載の回転電機の製造方法。
【請求項４】
各相の前記コイルをかしめるかしめ工程と、前記同相異並列回路間絶縁試験工程と、前記かしめ工程においてかしめた各相の前記コイルのかしめを解除するかしめ解除工程と、を含むことを特徴とする請求項１から３のいずれか一項記載の回転電機の製造方法。
【請求項５】
前記同相異並列回路間絶縁試験工程において、前記コイルに設けられている複数の前記導線間の絶縁状態を、前記導線間の全ての組み合わせ、又はいくつかの組み合わせについて検査することを特徴とする請求項１から４のいずれか一項記載の回転電機の製造方法。
【請求項６】
請求項１から５のいずれか一項記載の回転電機の製造方法を用いて製造されたことを特徴とする回転電機。
【請求項７】
請求項１から５のいずれか一項記載の回転電機の製造方法を用いて製造されたことを特徴とする回転電機の固定子。
【発明の詳細な説明】
【技術分野】
【０００１】
本発明は、複数の導線からなるコイルが鉄心に巻装されて構成される回転電機の製造方法、およびその製造方法を用いて製造した固定子および回転電機に関する。
【背景技術】
【０００２】
従来、電気自動車やハイブリッド自動車などに用いられる回転電機としての電動機には、複数相、例えばＵ相、Ｖ相、Ｗ相の三相のコイルを鉄心に巻装して構成されるインバータ駆動方式の永久磁石型の電動機（以下、永久磁石電動機という）が知られている。このような永久磁石電動機では、高出力化のためにコイルに印加される電圧が高くなる傾向にあり、また、立ち上がりが急峻なインバータサージ電圧が印加されることから各相のコイルの分担電圧も高くなる傾向にある。このため、隣接するコイル間などに絶縁不良が生じた場合、短絡または部分放電が発生するおそれが高くなる。
【０００３】
そのため、回転電機を製造する製造工程において、各相のコイル間の絶縁状態を検査する絶縁試験を行うことが提案されている（例えば、特許文献１参照）。
図１８は、永久磁石電動機の一般的な製造工程を概略的に示している。まず鉄心（ステータコア）に各相のコイルを装着し（Ｓ７０１）、各相のコイルのリード線に絶縁スリーブを挿入し（Ｓ７０２）、コイルエンドを成形し（Ｓ７０３）、各相のコイルの動力線かしめを行った後（Ｓ７０４）、コイルエンドのコイルを糸で巻く第１レーシングを行う（Ｓ７０５）。
【０００４】
続いて、ステップＳ７０６において三相コイル間の部分放電試験を行って異相のコイル間の絶縁状態を検査し、中性点かしめ（Ｓ７０７）、絶縁テープ巻き（Ｓ７０８）、第２レーシング（Ｓ７０９）を行った後に、ステータとコイル間の絶縁試験（Ｓ７１０）、総合絶縁試験（Ｓ７１１）、ワニス含浸（Ｓ７１２）を経て、モータが組み立てられる（Ｓ７１３）。
【先行技術文献】
【特許文献】
【０００５】
【特許文献１】特開２００４−２７４９４６号公報
【発明の概要】
【発明が解決しようとする課題】
【０００６】
ところで、上記したような構成の永久磁石電動機では、各相のコイルのリード線として絶縁被覆された複数本の導線が電気的に並列に接続された構成のものがある。その場合、コイルが鉄心に装着されると、導線の巻き始め部位（Ｔｓ）と別の導線の巻き終わり部位（Ｔｅ）とが隣接する部分では、同相のコイル内においても電位の異なる導線同士が接触することにより、導線間に短絡または部分放電が発生するおそれがあった。
【０００７】
しかしながら、従来の回転電機の製造方法では、上記の状態に対応することができなかった。
本発明は上記事情に鑑みてなされたものであり、その目的は、各相のコイルを構成する導線間に短絡または部分放電が発生するおそれを低減し、信頼性が高い回転電機を製造するための回転電機の製造方法を提供することにある。
【０００８】
また、本発明の他の目的は、上記した製造方法により固定子および回転電機を製造することにより、信頼性の高い回転電機および固定子を提供することにある。
【課題を解決するための手段】
【０００９】
本発明の回転電機の製造方法は、電気的に並列に接続されて使用される複数の導線からなるコイルが鉄心に複数相巻装されて構成される回転電機の製造方法であって、前記コイルは、同相内に、それぞれ電気的に並列に接続される複数の同相異並列回路を備え、
前記鉄心に前記コイルを巻装するコイル巻装工程およびコイルエンドを成形するコイルエンド成形工程の後に、同相の前記コイル内における前記同相異並列回路間の絶縁状態を検査する同相異並列回路間絶縁試験工程を含むことを特徴とする。
【００１０】
本発明の回転電機は、上記した製造方法を用いて製造することを特徴とする。
本発明の固定子は、上記した製造方法を用いて製造することを特徴とする。
【発明の効果】
【００１１】
本発明の回転電機の製造方法によれば、コイルを鉄心に巻装した後に、同相のコイル内における導線間の絶縁状態を検査するので、各導線間の絶縁状態に異常がない、換言すると、導線間に短絡または部分放電が発生するおそれが低減された信頼性の高い回転電機を製造することができる。
【００１２】
本発明の回転電機によれば、導線間に短絡または部分放電が発生するおそれが低減された信頼性の高い回転電機を製造することができる。
本発明の固定子によれば、導線間に短絡または部分放電が発生するおそれが低減された信頼性の高い固定子を製造することができる。
【図面の簡単な説明】
【００１３】
【図１】本発明の第１実施形態による永久磁石電動機の製造工程を概略的に示す図
【図２】永久磁石電動機の構成を示す概略図
【図３】各相のコイルの電気的な等価回路を模式的に示す図
【図４】各相のコイルの構成を模式的に示す図
【図５】単位コイル内の接触状態を模式的に示す図
【図６】同相並列導線間絶縁試験の試験装置を概略的に示す図
【図７】本発明の第２実施形態による図１相当図
【図８】３相間絶縁試験の試験装置を概略的に示す図
【図９】各相のコイルのグループ分けを模式的に示す図
【図１０】本発明の第３実施形態による図１相当図
【図１１】図２相当図
【図１２】図３相当図
【図１３】同相異並列導線間絶縁試験の試験装置を概略的に示す図
【図１４】本発明の第４実施形態による図１相当図
【図１５】本発明の第５実施形態による図１相当図
【図１６】図３相当図
【図１７】本発明の第６実施形態による図１相当図
【図１８】従来技術による図１相当図
【図１９】本発明の第３実施形態の変形例による図２相当図
【発明を実施するための形態】
【００１４】
（第１実施形態）
以下、本発明を電気自動車やハイブリット自動車などに用いられるインバータ駆動方式の永久磁石電動機に適用した第１実施形態について、図１から図６に基づいて説明する。尚、以下の説明においては、永久磁石電動機の全体構成を示して本発明を適用する構成部位の詳細をまず説明し、その後、永久磁石電動機の製造工程について説明する。
【００１５】
永久磁石電動機１は、図２に示すように、固定子２および回転子３を備えている。固定子２は、例えば電磁鋼板をプレスなどにより打ち抜いて形成された複数枚の鉄心片が積層された円環形状をなす固定子鉄心４を有している。固定子鉄心４は、内周側に、後述する三相のコイル（Ｕ相コイル５、Ｖ相コイル６、Ｗ相コイル７）が挿入されるスロット８が複数個、例えば４８個形成されている。固定子鉄心４には、径方向外周側から内周側に向かってＵ相コイル５、Ｖ相コイル６、Ｗ相コイル７が順に巻装されている。以下、Ｕ相コイル５、Ｖ相コイル６、Ｗ相コイル７に共通の事項を説明する場合には、符号を付さず、単に各相のコイルという。
【００１６】
回転子３は、例えば電磁鋼板をプレスなどにより打ち抜いて形成された複数枚の鉄心片が積層された円環形状をなす回転子鉄心９と、回転子鉄心９の内周側に設けられている回転軸１０とを備えている。回転子３は、その外周面と固定子２の内周面との間に僅かな隙間（所謂エアギャップ）を隔てて配置され、固定子２に対して相対的に回転可能になっている。回転軸１０は、回転子鉄心９を鉄心材の積層方向に貫いており、回転子鉄心９に固定されている。
【００１７】
回転子鉄心９の外周部には、外周に向かうに従って対向距離が順次大となる一対の磁性体スロット１１が複数対、例えば八対、周方向に一定の間隔を存して設けられており、回転子鉄心９を鉄心材の積層方向（軸方向）に貫いている。磁性体スロット１１には永久磁石１２が挿入されている。永久磁石１２は、互いに隣接する永久磁石１２に対して、回転子鉄心９の外周側に対する極性（Ｎ極、Ｓ極）が逆になるように配置され、永久磁石電動機１の磁極を形成している。
【００１８】
各相のコイルは、図３に示すように、それぞれ複数個、例えば８個の単位コイルが直列に接続されて形成されている。これらの各相のコイルは、一方の端部に電源端子（Ｕ相電源端子１３、Ｖ相電源端子１４、Ｗ相電源端子１５）が形成されており、他方の端部に、各相のコイルが互いに接続された中性点Ｎが形成されている。これらＵ相電源端子１３、Ｖ相電源端子１４、Ｗ相電源端子１５は、図示しない外部のインバータ回路に接続され、例えば三相交流電源が供給される。尚、以下の説明においてＵ相電源端子１３、Ｖ相電源端子１４、Ｗ相電源端子１５に共通の事項を説明する場合には、符号を付さず、単に各相の電源端子という。
【００１９】
さて、各相のコイルは、図３には電気的構成として１本の線で示したものの、実際には複数本の導線から形成されており、例えばＵ相コイル５の場合、図４に示すように、３本の導線５１、５２、５３により形成されている。各導線５１、５２、５３は、例えば銅などの導体を線状に形成し、その外周にエナメルなどの絶縁被覆を施したものである。これら各導線５１、５２、５３は、Ｕ相電源端子１３と中性点Ｎとの間に電気的に並列に接続されている。つまり、各導線５１、５２、５３は、本発明でいう同相並列導線に相当する。また、Ｖ相コイル６およびＷ相コイル７も、Ｕ相コイル５と同様に、同相並列導線に相当する３本の導線（６１、６２、６３、７１、７２、７３。図８参照）からそれぞれ形成されている。尚、以下の説明において各導線５１、５２、５３、６１、６２、６３、７１、７２、７３に共通の事項を説明する場合には、符号を付さず、単に各導線という。
【００２０】
各相のコイルを形成している各導線は、例えばＵ相コイルの場合、固定子鉄心４に巻装された状態では、図５に示すように、Ｕ相電源端子１３に近い側の部位である巻き始め部Ｔｓと、隣接する単位コイル側に引き出された部位である巻き終わり部Ｔｅとが近接した状態になっている。換言すると、実運転時に電位が高い部位（Ｔｓ）と、Ｔｓに比べて相対的に電位が低い部位（Ｔｅ）とが近接した状態になっている。このため、各導線の絶縁状態に異常が生じた場合、その絶縁異常部位が接触し、短絡または部分放電が発生するおそれがある。尚、説明の簡略化のために図５には２個の単位コイル間を模式的に示しているが、ＴｓとＴｅとは、固定子鉄心４の各スロット８に存在しており、各相のコイルにおいて、また各スロット８において近接した状態になっている。
【００２１】
ところで、導線間に短絡が発生した場合には、短絡した部分におけるコイルの巻数が見かけ上少なくなり、コイルとしての機能が低下するおそれがある。また、部分放電が発生した場合には、その部分の耐久性が低下するおそれがある。つまり、絶縁状態に異常が生じると、電動機としての特性や性能の劣化を招くおそれがある。そこで、本実施形態では、永久磁石電動機１の製造工程において、各導線間、すなわち各同相並列導線間の絶縁状態を検査する同相並列導線間絶縁試験工程（後述する図１のステップＳ１０４）を実施している。
【００２２】
図１は、永久磁石電動機１の製造工程、特に固定子２の製造工程を示している。尚、固定子鉄心４は、以下の製造工程が行われる前の段階で、絶縁紙などにより各相のコイルと固定子鉄心４との間を絶縁する所謂スロット絶縁が行われているものとする。
【００２３】
永久磁石電動機１の製造工程では、まず固定子鉄心４に各相のコイルを巻装するコイル巻装工程が行われる（Ｓ１０１）。各相のコイルは、固定子鉄心４の外周側（スロット８の奥側）から順にＵ相コイル５、Ｖ相コイル６、Ｗ相コイル７が巻装される。このとき、例えばＵ相コイル５を巻装した後に、固定子鉄心４の軸方向の両端部に突出したコイル部位を固定子鉄心４の外周側へ拡開して次のＶ相コイル６を巻装し易くするとともに、図示しない相間絶縁紙を挿入してＶ相コイル６との間の絶縁が図られている。同様に、Ｖ相コイル６の巻装後にも、Ｖ相コイル６の拡開および図示しない相間絶縁紙の挿入が行われており、Ｖ相コイル６とＷ相コイル７との間の絶縁が図られている。
【００２４】
続いて、ステップＳ１０１で拡開した各相のコイルを、回転子鉄心９の内周側の所定の位置に配置してコイルエンドを成形するコイルエンド成形工程が行われる（Ｓ１０２）。その後、コイルエンドに位置する各相のコイルを糸で緊縛（レーシング）する第１レーシング工程が行われる（Ｓ１０３）。このレーシング工程では、各相のコイルの両端部（後述する電源端子側および中性点側の端部）を除いて、各相のコイルの大部分が固定子鉄心４の所定の位置に配置される。
【００２５】
ここまでの工程では各相のコイルには電源端子および中性点がまだ形成されていないため、コイルの両端部は、各導線が解けた状態（物理的、電気的に接触していない状態）になっている。このように、各導線が解けた状態で、導線間（同相並列導線間）の絶縁試験を実施する同相並列導線間絶縁試験工程が行われる（Ｓ１０４）。この同相並列導線間絶縁試験では、各相のコイル毎に、各導線間の絶縁試験、具体的には、各導線間に対する耐電圧試験や部分放電試験などが行われる。尚、これら耐電圧試験や部分放電試験などを含む絶縁試験そのものは、周知の技術であるので詳細な説明は省略する。
【００２６】
図６は、同相並列導線間の絶縁試験の全体構成を示している。この図６では、説明の簡略化のために、Ｕ相コイル５のみを模式的に示している。絶縁試験装置１６は、上記した耐電圧試験や部分放電試験などを行う試験装置であり、必要に応じて複数台或いは複数種類の絶縁試験装置１６が用いられる。各導線は、この絶縁試験に先立って、各相のコイルの両端側の部位の絶縁被覆が除去され、導体が露出した状態になっている。各相のコイルは、固定子鉄心４から引き出されて、外部に設けられた絶縁試験装置１６に接続される。この状態で、上記した絶縁試験が行われる。このとき、各導線に印加する電圧の大きさなどの試験条件は、各導線の種類（材質、太さなど）、或いは実運転時の印加電圧の大きさなどに応じて適宜設定すればよい。
【００２７】
さて、Ｕ相コイル５の場合、上記のように３本の導線５１、５２、５３で形成されていることから、絶縁状態を検査する組み合わせ数は、導線５１−５２間、導線５２−５３間、導線５３−５１間の３個になる。また、Ｖ相コイル６およびＷ相コイル７も、それぞれ３本の導線で形成されていることから、その組み合わせ数はそれぞれ３個である。つまり、永久磁石電動機１の製造工程において、１回の同相並列導線間絶縁試験で絶縁状態を検査する導線間の組み合わせ数は、３個×３相分＝９個になる。本実施形態では、これら全ての組み合わせに対して絶縁状態を検査している。
【００２８】
このように、同相並列導線間絶縁試験工程では、各相のコイルを形成する導線間の絶縁状態が検査される。尚、絶縁試験に不合格であった場合、各相のコイルは取り外され、新たなコイルが巻装される。
【００２９】
同相並列導線間絶縁試験工程が終了すると、図１に示すように、各相のコイルの一方の端部に各相の電源端子（図３参照）を接続する３相リード線かしめ工程（Ｓ１０５）、各相のコイルの他方の端部をまとめて中性点Ｎ（図３参照）を形成する中性点かしめ工程（Ｓ１０６）、および中性点Ｎの形成時に絶縁被覆が除去された部位を絶縁テープなどで覆う中性点絶縁工程（Ｓ１０７）を経て、中性点Ｎをコイルエンドの所定の位置に配置して糸で緊縛する第２レーシング工程が行われる（Ｓ１０８）。尚、ステップＳ１０５と、ステップＳ１０６およびＳ１０７とは、工程順を入れ替えてもよい。
【００３０】
その後、絶縁抵抗、耐電圧試験、各相のコイルと固定子鉄心４との間の部分放電試験、インパルス試験などを行う総合絶縁試験・検査工程（Ｓ１０９）、各相のコイルを固定子鉄心４に固定するワニス含浸工程（Ｓ１１０）、例えば目視検査などにより固定子２の状態を検査するステータ検査（Ｓ１１１）を経て、固定子２が完成する。そして、完成した固定子２を回転子３とともに図示しない筐体に組み込むことにより、永久磁石電動機１（図２参照）が製造される。尚、ワニス含浸工程後に総合絶縁試験を再度行ってもよい。
【００３１】
このように、本実施形態では、コイル巻装工程の後であって、３相リード線かしめ工程および中性点かしめ工程の前、すなわち、各導線の端部が解けた状態で同相並列導線間絶縁試験工程を実施することにより、導線間の絶縁状態を検査している。
【００３２】
以上説明した第１実施形態によれば、次のような効果を得ることができる。
永久磁石電動機１の製造工程において各相のコイルを形成する導線間の絶縁状態を検査する同相並列導線間絶縁試験工程を実施するので、各導線間に絶縁状態の異常がなく、短絡または部分放電が発生するおそれが低減された高品質な固定子２を製造することができる。
また、この固定子２を用いて永久磁石電動機１を製造することにより、信頼性の高い永久磁石電動機１を製造することができ、実運転時における永久磁石電動機１の性能、特性あるいは耐久性などが低下するおそれを低減することができる。
【００３３】
コイル巻装工程の後に同相並列導線間絶縁試験工程を行っているので、コイル巻装工程において不具合が発生した場合であっても、その不具合を検出することができる。特に、コイルエンド成形工程および第１レーシング工程の後に絶縁試験を実施することにより、実運転時の形態に近い状態での検査を行うことができる。
同相並列導線間絶縁試験工程では、各相のコイルを形成する導線間の全ての組み合わせについて絶縁を検査しているので、より高品質な固定子２および永久磁石電動機１を製造することができる。
【００３４】
（第２実施形態）
次に、本発明の第２実施形態について、図７から図９に基づいて説明する。第２実施形態は、永久磁石電動機の製造工程に３相間絶縁試験工程を含んでいる点が第１実施形態と異なっている。尚、第１実施形態と実質的に同一の構成、および実質的に同一の製造工程（ステップ）には同一の符号を付し、説明を省略する。また、第２実施形態の永久磁石電動機の構成は第１実施形態と同一であるので、図２も参照しながら説明する。
【００３５】
図７は、第２実施形態による永久磁石電動機の製造工程を示している。まず第１実施形態と同様に、コイル巻装工程（Ｓ１０１）、コイルエンド成形工程（Ｓ１０２）、第１レーシング工程を経て（Ｓ１０３）、同相並列導線間の絶縁試験が行われた後（Ｓ１０４）、各相のコイルに電源端子を装着する３相リード線かしめ工程が行われる（Ｓ１０５）。
【００３６】
この状態では、固定子鉄心４に巻装された各相のコイルは、コイルエンドにおいて内周側或いは外周側に配置された異相のコイルと近接している（図２参照）。異相のコイル間、つまりＵ相コイル５とＶ相コイル６との間、Ｖ相コイル６とＷ相コイル７は、上記したように図示しない相間絶縁紙が挿入されているものの、コイル巻装工程において各相のコイルを固定子鉄心４の外周側へ拡開したとき、或いはコイルエンド成形工程において内周側へ寄せたときに、互いに接触状態になるおそれがある。このため、各相のコイル、より正確には各相のコイルを形成する導線は、その絶縁状態に異常が生じた場合、永久磁石電動機の運転時に異相のコイル間で短絡または部分放電が発生するおそれがある。
【００３７】
そこで、本実施形態では、永久磁石電動機の製造工程において、コイル巻装工程の後に、異相のコイル間の絶縁状態を検査する３相間絶縁試験工程を実施している。
３相間絶縁試験工程（Ｓ２０１）では、図８に示すように、各相のコイルが絶縁試験装置１６に接続され、Ｕ相コイル５−Ｖ相コイル６間、Ｖ相コイル６−Ｗ相コイル７間、Ｗ相コイル７−Ｕ相コイル５間に対して、同相並列導線間絶縁試験（Ｓ１０４）と同様の耐電圧試験や部分放電試験を含む絶縁試験が行われる。尚、試験内容および試験条件は、かならずしも同相並列導線間絶縁試験と同一である必要はない。
【００３８】
ところで、この３相間絶縁試験工程において検査が可能な導線間の組み合わせ数は、例えばＵ相コイル５−Ｖ相コイル６間の絶縁試験を行う場合、Ｕ相コイル５の各導線とＶ相コイル６の各導線との間、すなわち、導線５１−６１間、導線５１−６２間、導線５１−６３間、導線５２−６１間、導線５２−６２間、導線５２−６３間、導線５３−６１間、導線５３−６２間、導線５３−６３間の９個になる。また、Ｖ相コイル６−Ｗ相コイル７間、Ｗ相コイル７−Ｕ相コイル５間にもそれぞれ９個の組み合わせが存在することから、異相間の絶縁試験の組み合わせ数は、合計２７個になる。尚、各相のコイルを形成する導線の数が多くなるほど、その組み合わせ数は増加する。
【００３９】
このように絶縁試験を行う組み合わせ数が多い場合、全ての組み合わせについて絶縁試験を行うと作業工数が大幅に増加することになる。そこで、本実施形態では、各相のコイルを形成する導線をいくつかのグループに区分し、このグループ間の絶縁状態を検査することにより絶縁試験を簡略化して作業工数の削減を図っている。
【００４０】
図９は、グループ分けの一例を示している。本実施形態では、固定子鉄心４の最外周側に位置するＵ相コイル５の各導線を２つのグループＵＧ１、ＵＧ２に区分し、Ｖ相コイル６の各導線を１つのグループＶＧ１に区分し、固定子鉄心４の最内周側に位置するＷ相コイル７の各導線を２つのグループＷＧ１、ＷＧ２に区分し、それぞれのグループ間の絶縁状態を検査している。このとき、グループ分けする導線は、例えばかしめにより短絡することによりグループ分けされている。これにより、絶縁試験を行うグループ（Ｇ）間の組み合わせ数は、ＵＧ１−ＶＧ１間、ＵＧ１−ＷＧ１間、ＵＧ１−ＷＧ２間、ＵＧ２−ＶＧ１間、ＵＧ２−ＷＧ１間、ＵＧ２−ＷＧ２間、ＶＧ１−ＷＧ１間、ＶＧ１−ＷＧ２間の８個となる。
【００４１】
このように、各導線をグループ分けして絶縁試験を行うことにより、全ての導線の組み合わせについて絶縁試験を行う場合（２７個）に比べて、作業工数を大幅に少なくすることが可能になる。また、絶縁試験装置１６に接続される導線の数も減少し、絶縁試験装置１６の大形化を招くこともない。
この場合、本実施形態におけるようにグループ分けして絶縁試験を行う方式では、導線間の全ての組み合わせについて絶縁試験を行う方式に比べて、作業時間を短縮することを優先しているものであるが、この場合でも、所望の信頼性のレベルを確保する組み合わせ数に設定することにより、信頼性を損なうことなく作業効率の向上を図ることができる。
【００４２】
３相間絶縁試験工程が終了すると、図７に示すように、中性点かしめ工程（Ｓ１０６）、中性点を絶縁する中性点絶縁工程（Ｓ１０７）が行われ、第２レーシング工程（Ｓ１０８）、総合絶縁試験・検査工程（Ｓ１０９）、ワニス含浸工程（Ｓ１１０）、ステータ検査工程（Ｓ１１１）を経て、固定子２が完成する。そして、完成した固定子２を回転子３とともに図示しない筐体に組み込むことにより、永久磁石電動機が製造される。
【００４３】
このように、第２実施形態では、同相並列導線間絶縁試験工程を実施しているので、同相のコイルにおける導線間の絶縁異常が検査された高品質な固定子および永久磁石電動機を製造することができるなど、第１実施形態と同様の効果を得ることができる。
特に、第２実施形態では、異相のコイル間、すなわち、異相のコイルを形成している各導線間の絶縁異常を検査する３相間絶縁試験工程を実施しているので、品質および信頼性をさらに向上させた固定子、引いては永久磁石電動機を製造することができる。
【００４４】
３相間絶縁試験工程においては、導線間の全ての組み合わせについて絶縁試験を行うのではなく、各相の導線を単数又は複数のグループにグループ分けし、グループ間の絶縁状態を検査している。これにより、３相間絶縁試験工程における作業工数を削減することができる。また、グループ分けすることにより、絶縁試験装置１６に接続する導線の数が減少するので、絶縁試験装置１６の大型化を招くことがない。
【００４５】
（第３実施形態）
次に、本発明の第３実施形態について、図１０から図１３に基づいて説明する。第３実施形態では、後述するように各相のコイルの構成が第１実施形態と異なっており、この構成の違いに伴って、後述する同相異並列回路間絶縁試験が追加されている。尚、第１実施形態と実質的に同一の構成、および実質的に同一の製造工程（ステップ）には同一の符号を付し、説明を省略する。
【００４６】
第３実施形態における永久磁石電動機の固定子２１は、図１１および図１２に示すように、固定子鉄心２２にＵ相コイル５、Ｖ相コイル６、Ｗ相コイル７を備えている。Ｕ相コイル５は、直列に接続された４個の単位コイル（５ａ１、５ａ２、５ａ３、５ａ４）で形成されるコイル群５ａと、同じく直列に接続された４個の単位コイル（５ｂ１、５ｂ２、５ｂ３、５ｂ４）で形成されたコイル群５ｂとの並列回路により形成されている。これら各コイル群５ａ、５ｂは、第１実施形態と同様に電気的に並列に接続された３本の導線（同相並列導線）によりそれぞれ形成されており、Ｕ相電源端子１３と中性点Ｎａ、Ｎｂとの間に並列に接続されている。
【００４７】
同様に、Ｖ相コイル６は、直列に接続された４個の単位コイル（６ａ１、６ａ２、６ａ３、６ａ４、および６ｂ１、６ｂ２、６ｂ３、６ｂ４）で形成されるコイル群６ａおよび６ｂにより形成され、Ｗ相コイル７は、直列に接続された４個の単位コイル（７ａ１、７ａ２、７ａ３、７ａ４、および７ｂ１、７ｂ２、７ｂ３、７ｂ４）で形成されたコイル群７ａおよび７ｂにより形成されている。また、Ｖ相コイル６およびＷ相コイル７は、それぞれＶ相電源端子１４およびＷ相電源端子１５と中性点Ｎａ、Ｎｂとの間に並列に接続されている。
【００４８】
つまり、固定子鉄心２２には、各相の電源端子と中性点との間に、コイル群５ａ、６ａ、７ａと、およびコイル群５ｂ、６ｂ、７ｂとが並列に接続（ダブルスター接続）されている。これら各相のコイル群５ａ、５ｂ、６ａ、６ｂ、７ａ、７ｂは、本発明でいう同相異並列回路に相当する。また、Ｕ相コイル５のコイル群５ａ−５ｂ間、Ｖ相コイル６のコイル群６ａ−６ｂ間、Ｗ相コイル７のコイル群７ａ−７ｂ間が、本発明でいう同相異並列回路間に相当する。尚、以下の説明では、コイル群５ａ、５ｂ、６ａ、６ｂ、７ａ、７ｂに共通の事項を説明する場合には、符号を付さず、単に各コイル群という。
【００４９】
図１０は、第３実施形態による永久磁石電動機の製造工程を示している。
まず第１実施形態と同様に、コイル巻装工程（Ｓ１０１）、コイルエンド成形工程（Ｓ１０２）、第１レーシング工程を経て（Ｓ１０３）、同相並列導線間絶縁試験工程が行われる（Ｓ１０４）。この場合、同相並列導線間絶縁試験工程では、各コイル群に対して、泰一実施形態と同様の絶縁試験が実施される。このとき、第１実施形態のように導線の全ての組み合わせに対して絶縁試験を行ってもよく、第２実施形態のように導線をいくつかのグループに分け、グループ間の組み合わせに対して絶縁試験を行ってもよい。
【００５０】
ところで、固定子鉄心２２に巻装された各相のコイルは、図１１に示すように、各コイル群が隣接している。この場合、図示しない絶縁紙が挿入されているものの、ステップＳ１０１コイル巻装工程において各相のコイルを固定子鉄心２２の外周側へ拡開したとき、或いは、ステップＳ１０２のコイルエンド成形工程において内周側へ寄せたときに、隣接するコイル群同士、例えばＵ相コイル５のコイル群５ａとコイル群５ｂとが接触するおそれがある。換言すると、コイル群間の絶縁状態に異常があると、永久磁石電動機の実運転時にコイル群間に短絡または部分放電が発生するおそれがある。
【００５１】
そこで、永久磁石電動機の製造工程では、各コイル群間、すなわち各同相異並列回路間の絶縁状態を検査する同相異並列回路間絶縁試験工程が行われる。
同相並列導線間絶縁試験工程が終了すると、図１０に示すように、各相のコイルをかしめて中性点を形成する中性点形成工程（Ｓ３０１）が行われる。後述する同相異並列回路間の絶縁試験は、例えばＵ相のコイル群５ａとコイル群５ｂとの間の絶縁状態を検査する試験である。そのため、同相異並列回路間絶縁試験工程に先立って、まず中性点Ｎａ、Ｎｂ（図１２参照）が形成される。
【００５２】
中性点Ｎａ、Ｎｂが形成されると、同相異並列回路間絶縁試験工程が行われる（Ｓ３０２）。この同相異並列回路間絶縁試験工程では、図１３に示すように、例えばＵ相のコイル群５ａ、５ｂ、および中性点Ｎａ、Ｎｂが絶縁試験装置１６に接続され、Ｕ相のコイル群５ａ−５ｂ間に対して、耐電圧試験や部分放電試験を含む絶縁試験が行われる。この場合、第１実施形態のようにコイル群５ａとコイル群５ｂの各導線間の全ての組み合わせについて絶縁試験を行ってもよく、第２実施形態のようにコイル群５ａ、５ｂの各導線をグループ分けし、グループ間に対して絶縁試験を行ってもよい。
【００５３】
Ｕ相コイル５の絶縁状態が検査されると、続いてＶ相コイル６およびＷ相コイル７についても絶縁状態が検査される。尚、各相の試験順はこれに限定されず順番を入れ替えてもよい。また、各相のコイル群を全て絶縁試験装置１６に接続することにより、或いは、複数台の絶縁試験装置１６を用いることにより、同時に絶縁試験を行ってもよい。
【００５４】
同相異並列回路間絶縁試験工程が終了すると、図１０に示すように、各相のコイルに電源端子を装着する３相リード線かしめ工程（Ｓ１０５）、および中性点を絶縁する中性点絶縁工程（Ｓ１０７）が行われる。尚、これらＳ１０５の工程とＳ１０７の工程とは、工程順を入れ替えてもよい。その後、第２レーシング工程（Ｓ１０８）、総合絶縁試験・検査工程（Ｓ１０９）、ワニス含浸工程（Ｓ１１０）、ステータ検査工程（Ｓ１１１）を経て、固定子２１が完成する。そして、完成した固定子２１を回転子とともに図示しない筐体に組み込むことにより、永久磁石電動機が製造される。
【００５５】
このように、第３実施形態では、同相並列導線間絶縁試験工程を実施しているので、同相のコイルにおける導線間の絶縁異常が検査された高品質な固定子２１および永久磁石電動機を製造することができるなど、第１実施形態と同様の効果を得ることができる。
特に、第３実施形態では、各相のコイルが複数のコイル群（同相異並列回路）で形成された構成において、これらコイル群間の絶縁状態を検査する同相異並列回路間絶縁試験工程を実施しているので、コイル群間の絶縁状態に異常が生じていない、すなわち、コイル群間に短絡または部分放電が発生するおそれが低減された高品質な固定子２１および永久磁石電動機を製造することができる。
【００５６】
また、各絶縁試験工程においては、導線の全ての組み合わせに対して絶縁試験を行った場合には永久磁石電動機の品質をさらに向上させることができ、導線をグループ化して絶縁試験を行った場合には作業工数を大幅に削減することができる。
【００５７】
（第３実施形態の変形例）
次に、上記した第３実施形態の変形例について、図１９に基づいて説明する。本変形例では、各相のコイルを構成する単位コイルの配置が第３実施形態と異なっている。尚、第３実施形態と実質的に同一の構成には同一の符号を付すとともに、図１１および図１２をも参照しながら説明を省略する。
【００５８】
本変形例では、第３実施形態と同様に（図１１参照）、Ｕ相コイル５、Ｖ相コイル６、Ｗ相コイル７は、直列に接続された４個の単位コイルで形成されるコイル群５ａ、６ａ、７ａと、同じく直列に接続された４個の単位コイルで形成されたコイル群５ｂ、６ｂ、７ｂとの並列回路により形成されている。但し、第３実施形態では同一のコイル群（例えばコイル群５ａ）に属する各単位コイル（５ａ１、５ａ２、５ａ３、５ａ４）は互いに隣接して巻装されていたのに対し（図１２参照）、本変形例では、図１９に示すように、異なるコイル群の各単位コイルが交互に巻装されている。つまり、例えばコイル群５ａを形成する各単位コイル５ａ１、５ａ２、５ａ３、５ａ４は、コイル群５ｂを形成する各単位コイル５ｂ１、５ｂ２、５ｂ３、５ｂ４の何れかに隣接した状態で固定子鉄心２２に巻装されている（いわゆる隔極巻線、或いは隔極接続）。
【００５９】
このため、第３実施形態ではコイル群間に接触が発生するおそれがある部位は２箇所（電源端子側、中性点側の単位コイル間）であったのに対して、本変形例では、コイル群間において短絡または部分放電が発生するおそれがある部位の数が多くなっている。
このような構成の固定子であっても、同相異並列回路間絶縁試験を実施することにより、コイル群間の絶縁状態に異常が生じていない、すなわち、コイル群間（同相異並列回路間）に短絡または部分放電が発生するおそれが低減された高品質な固定子および永久磁石電動機を製造することができる。
【００６０】
特に、本変形例のような構成の場合、電位差が大きい単位コイル（例えば５ａ１と５ｂ４）が隣接して配置されているので、その間の絶縁に異常が生じると部分放電が発生しやすくなるが、同相異並列回路間絶縁試験を実施することにより、そのおそれを低減することができる。
勿論、同相異並列回路間絶縁試験の実施対象となる固定子は、単位コイルの数や巻装方法が第３実施形態或いは本変形例に限定されず、３つ以上のコイル群が設けられた構成でもよいし、各コイル群には５個以上或いは３個以下の単位コイルが設けられた構成でもよい。
【００６１】
（第４実施形態）
次に、本発明の第４実施形態について、図１４に基づいて説明する。第４実施形態では、永久磁石電動機の構成、および、固定子コイル絶縁試験工程を行う点が、第１実施形態と異なっている。尚、第４実施形態の永久磁石電動機の構成は第３実施形態と同一であるので、図１２も参照しながら説明する。また、第１実施形態と実質的に同一の製造工程（ステップ）には同一の符号を付し、詳細な説明を省略する。
【００６２】
第４実施形態の永久磁石電動機は、第３実施形態と同様に、３本の導線（同相並列導線）で形成されたコイル群（同相異並列回路）が、電源端子と中性点との間に複数設けられている（図１２参照）。
図１４は、第４実施形態による永久磁石電動機の製造工程を示している。
まず第１実施形態と同様に、コイル巻装工程（Ｓ１０１）、コイルエンド成形工程（Ｓ１０２）、第１レーシング工程が行われる（Ｓ１０３）。この状態では、各相のコイルには電源端子および中性点がまだ形成されていないため、両端部の各導線は解けた状態になっている。
【００６３】
このように、各導線が解けた状態で、固定子コイル絶縁試験工程が行われる（Ｓ４０１）。この固定子コイル絶縁試験工程では、実質的には同相並列導線間絶縁試験工程（第１実施形態のＳ１０４相当）、３相間絶縁試験工程（第２実施形態のＳ２０１相当）、および同相異並列回路間絶縁試験工程（第３実施形態のＳ３０２相当）が行われる。ただし、本実施形態では、各導線をグループ分けすることなく、全ての組み合わせについて絶縁試験を行っている。これにより、絶縁試験の作業工数は増加するものの、全ての導線間の絶縁状態が検査されるため、製造される固定子の品質、引いては永久磁石電動機の品質を高めることが可能になる。
【００６４】
固定子コイル絶縁試験工程が終了すると、各相のコイルに電源端子を装着する３相リード線かしめ工程（Ｓ１０５）、中性点かしめ工程（Ｓ１０６）、中性点を絶縁する中性点絶縁工程（Ｓ１０７）が行われる。尚、ステップＳ１０５の工程と、ステップＳ１０６およびＳ１０７の工程とは、工程順を入れ替えてもよい。その後、第２レーシング工程（Ｓ１０８）、総合絶縁試験・検査工程（Ｓ１０９）、ワニス含浸工程（Ｓ１１０）、ステータ検査工程（Ｓ１１１）を経て、固定子が完成する。そして、完成した固定子を回転子とともに筐体に組み込むことにより、永久磁石電動機が製造される。
【００６５】
このように、第３実施形態では、同相並列導線間絶縁試験工程を実施しているので、同相のコイルにおける導線間の絶縁異常が検査された高品質な固定子および永久磁石電動機を製造することができるなど、第１実施形態と同様の効果を得ることができる。
特に、第４実施形態では、同相並列導線間絶縁試験工程、同相異並列回路間絶縁試験工程、３相間絶縁試験工程の３種類の絶縁試験を行っているので、より高品質な固定子および永久磁石電動機を製造することができる。
【００６６】
また、同相内および異相間の絶縁試験においては、ともに全ての導線の組み合わせについて絶縁試験を行っているので、さらに永久磁石電動機の品質を向上させ、信頼性を高めることができる。
【００６７】
（第５実施形態）
次に、本発明の第５実施形態について、図１５および図１６に基づいて説明する。第５実施形態では、相ごとおよび同相異並列回路ごとに導線を短絡する短絡工程、および短絡工程で短絡した導線の短絡を解除する短絡解除工程を行う点が、第４実施形態と異なっている。尚、第５実施形態の永久磁石電動機の構成は第３実施形態と同一であるので、図１２も参照しながら説明する。また、第１実施形態と実質的に同一の製造工程（ステップ）には同一の符号を付し、説明を省略する。
【００６８】
第５実施形態の永久磁石電動機は、第３実施形態と同様に、３本の導線（同相並列導線）で形成されたコイル群（同相異並列回路）が、電源端子と中性点との間に複数設けられている（図１２参照）。
図１５は、第５実施形態による永久磁石電動機の製造工程を示している。
まず第１実施形態と同様に、コイル巻装工程（Ｓ１０１）、コイルエンド成形工程（Ｓ１０２）、第１レーシング工程が行われる（Ｓ１０３）。この状態では、各相のコイルには電源端子および中性点がまだ形成されていないため、両端部の各導線は解けた状態になっている。この状態で、同相並列導線間絶縁試験工程が行われる（Ｓ１０４）。同相並列導線間絶縁試験工程では、導線の全ての組み合わせ、或いはグループ分けしたグループ間の組み合わせについて絶縁試験が行われる。
【００６９】
続いて、相ごとおよび同相異並列回路（コイル群）ごとに導線を短絡する短絡工程が行われる（Ｓ５０１）。この短絡工程では、相ごとおよびコイル群ごとに、コイル群の何れか一方の端部が短絡される。本実施形態では、図１６に示すように、Ｕ相コイル５のコイル群は中性点が形成される側の端部ＵＴａ、ＵＴｂ、Ｖ相コイル６のコイル群は電源端子が接続される側の端部ＶＴａ、ＹＴｂ、Ｗ相コイル７のコイル群は電源端子が接続される側の端部ＷＴａ、ＷＴｂがそれぞれ短絡されている。このとき、各相のコイルは、コイルエンド、又はコイルエンドの近傍において短絡されている。
【００７０】
これらの短絡箇所（ＵＴａ、ＵＴｂ、ＶＴａ、ＶＴｂ、ＷＴａ、ＷＴｂ）は、次の絶縁試験（Ｓ５０２）において各相のコイルの端部への接触が容易になる位置を基準にすればよく、必ずしも本実施形態と同じ箇所を短絡する必要はない。尚、図１６では、説明の簡略化のために、それぞれ３本の導線で形成されている各相のコイルを、１本の実線で示している。
【００７１】
そして、図１５に示すように、３相間・同相異並列回路間絶縁試験工程（Ｓ５０２）において、３相間絶縁試験工程（第２実施形態のＳ２０１相当）、および同相異並列回路間絶縁試験工程（第３実施形態のＳ３０２相当）が行われる。この３相間・同相異並列回路間絶縁試験工程では、各コイル群はいずれか一方の端部が短絡されているので、グループ分けされた導線間で絶縁試験を行うのと同等になり、作業工数の短縮を図ることが可能になる。
【００７２】
３相間・同相異並列回路間絶縁試験工程が終了すると、各相のコイルに電源端子を装着する３相リード線かしめ工程（Ｓ１０５）、中性点かしめ工程（Ｓ１０６）、中性点を絶縁する中性点絶縁工程（Ｓ１０７）が行われる。尚、ステップＳ１０５の工程と、ステップＳ１０６およびＳ１０７の工程とは、工程順を入れ替えてもよい。その後、第２レーシング工程（Ｓ１０８）、総合絶縁試験・検査工程（Ｓ１０９）、ワニス含浸工程（Ｓ１１０）、ステータ検査工程（Ｓ１１１）を経て、固定子が完成する。そして、完成した固定子を回転子とともに筐体に組み込むことにより、永久磁石電動機が製造される。
【００７３】
このように、第５実施形態では、同相並列導線間絶縁試験工程を実施しているので、同相のコイルにおける導線間の絶縁異常が検査された高品質な固定子および永久磁石電動機を製造することができるなど、第１実施形態と同様の効果を得ることができる。
特に、短絡工程では、各相のコイルをコイルエンド又はその近傍で短絡するので、実運転時に近い接続状態で絶縁試験を行うことができる。
また、各相のコイルは絶縁試験装置が設置されている場所までの長さが必要ではなくなるので、コイルの全長を短くすることが可能になり、コストの削減および資源の節約ができる。
【００７４】
（第６実施形態）
次に、本発明の第６実施形態について、図１７に基づいて説明する。第６実施形態では、同相並列導線間試験の代わりに、同相異並列回路間絶縁試験を行う点が、第１実施形態と異なっている。尚、第６実施形態の永久磁石電動機の構成は第３実施形態と同一であるので、図１２も参照しながら説明する。また、第１実施形態と実質的に同一の製造工程（ステップ）には同一の符号を付し、説明を省略する。
【００７５】
第６実施形態の永久磁石電動機は、第３実施形態と同様に、３本の導線（同相並列導線）で形成されたコイル群（同相異並列回路）が、電源端子と中性点との間に複数設けられている（図１２参照）。
図１７は、第６実施形態による永久磁石電動機の製造工程を示している。
まず第１実施形態と同様に、コイル巻装工程（Ｓ１０１）、コイルエンド成形工程（Ｓ１０２）、中性点かしめ工程（Ｓ１０６）、中性点を絶縁する中性点絶縁工程（Ｓ１０７）が行われる。尚、ステップＳ１０２の工程と、ステップＳ１０６およびＳ１０７の工程とは、工程順を入れ替えてもよい。
【００７６】
続いて、レーシング工程が行われる（Ｓ６０１）。このレーシング工程では、既に中性点かしめ工程（Ｓ１０６）およびと中性点絶縁工程（Ｓ１０７）とが行われていることから、中性点は、コイルエンドの所定の位置に配置され、各相のコイルとともに糸で緊縛して固定される。つまり、ステップＳ６０１のレーシング工程では、上記した第１レーシング工程（Ｓ１０３）と第２レーシング工程（Ｓ１０８）とがまとめて実施されている。
【００７７】
そして、同相異並列回路間絶縁試験工程が行われる（Ｓ６０２）。この同相異並列回路間絶縁試験工程は、第３実施形態のステップＳ３０２と実質的に同一内容の絶縁試験である。その後、各相のコイルに電源端子を接続する３相リード線かしめ工程（Ｓ６０３）が行われる。
このようにして同相異並列回路間絶縁試験工程が行われた後、総合絶縁試験・検査工程（Ｓ１０９）、ワニス含浸工程（Ｓ１１０）、ステータ検査工程（Ｓ１１１）を経て、固定子が完成する。そして、完成した固定子を回転子とともに筐体に組み込むことにより、永久磁石電動機が製造される。
【００７８】
以上説明した第６実施形態によれば、次のような効果を得ることができる。
第６実施形態では、各コイル群間、すなわち、同相異並列回路間の絶縁状態を検査する同相異並列回路間絶縁試験工程を実施しているので、コイル群間の絶縁状態に異常が生じていない、換言すると、コイル群間に短絡または部分放電が発生するおそれが低減された高品質な永久磁石電動機および固定子を製造することができる。
【００７９】
特に、第６実施形態では、各コイル群間、すなわち、同相異並列回路間のみの絶縁状態を検査する同相異並列回路間絶縁試験工程を実施しているので、作業工数を削減することができる。
また、中性点かしめ工程後に同相異並列回路間絶縁試験工程を行っているので、各相のコイルの各導線は既に短絡されているので、各コイル間には１回の絶縁試験で十分であり、作業工数をさらに削減することができる。
【００８０】
（その他の実施形態）
本発明は、以上説明した各実施形態に限定されるものではなく、その要旨を逸脱しない範囲で種々の実施形態に適用可能であり、例えば以下のように変形または拡張することができる。
【００８１】
インバータ駆動方式の３相の永久磁石電動機の製造工程に適用した例を示したが、相数や駆動方式などはこれに限定されず、例えば単相の回転電機、アウターロータ型電動機、誘導電動機、或いは発電機など、回転電機全般に適用することができる。
各相のコイルを形成する導線の数は、各実施形態に限定されない。導線の本数が増えた場合、各導線をグループ分けして絶縁状態を検査することにより、効果的に作業工数を削減することができる。このとき、導線をグループ分けする基準は、グループ間の絶縁状態を検査することで導線間の絶縁状態を検査することになるような組み合わせにすればよい。
【００８２】
また、各相のコイルを形成するコイル群の数（同相異並列回路の数）は、各実施形態に限定されない。また、各コイル群が多数で形成されている場合には、導線間の絶縁試験と同様に、各コイル群をグループ分けするようにしてもよい。
グループ分けをする場合、必ずしも各導線や各コイル群を物理的に接続する必要はなく、例えば２本の導線、或いは２つのコイル群を、接続端子に同時に接続することでグループ分けするようにしてもよい。或いは、各導線あるいは各コイル群のグループ分けは、第２実施形態において図９に示したように物理的に接続する代わりに、絶縁試験装置内で該当する導線やコイル群を電気的に接続するようにしてもよい。
【００８３】
必ずしも、各導線の組み合わせ全てについて絶縁試験を行う必要はなく、各導線のうちいくつかの導線を抽出し、抽出した導線間に対してのみ絶縁試験を行うようにしてもよい。例えば、３本の導線で構成されている場合、同相並列導線間絶縁試験工程において異常が検出されなかったときには（同相のコイル内の絶縁状態が正常）、３相間絶縁試験工程において、各相の導線から１本又は２本の導線を抽出し、それらの導線間で絶縁状態を検査することで異相間の絶縁状態を検査することが可能となり、作業工数を削減することができる。
【００８４】
絶縁試験装置に同時に接続する導線の数は、各実施形態に限定されない。また、絶縁試験の工程において、各導線の組み合わせを自動で切り替える治具を絶縁試験装置に付加すると、作業効率を大幅に改善することができる。
絶縁試験では、耐電圧試験や部分放電試験を必ずしも含む必要はなく、必要に応じて他の試験を追加してもよい。
【符号の説明】
【００８５】
図面中、１永久磁石電動機（回転電機）、２、２１は固定子、４、２２は固定子鉄心（鉄心）、５はＵ相コイル（コイル）、６はＶ相コイル（コイル）、７はＷ相コイル（コイル）、５１、５２、５３、６ｂ３、７１、７２、７３、７ａ１、７ａ２、７ａ３、７ｂ１、７ｂ２、７ｂ３は導線、５ａ、５ｂ、６ａ、６ｂ、７ａ、７ｂはコイル群（同相異並列回路）を示す。
【図１】
0005426342.tif 000002
【図２】
0005426342.tif 000003
【図３】
0005426342.tif 000004
【図４】
0005426342.tif 000005
【図５】
0005426342.tif 000006
【図６】
0005426342.tif 000007
【図７】
0005426342.tif 000008
【図８】
0005426342.tif 000009
【図９】
0005426342.tif 000010
【図１０】
0005426342.tif 000011
【図１１】
0005426342.tif 000012
【図１２】
0005426342.tif 000013
【図１３】
0005426342.tif 000014
【図１４】
0005426342.tif 000015
【図１５】
0005426342.tif 000016
【図１６】
0005426342.tif 000017
【図１７】
0005426342.tif 000018
【図１８】
0005426342.tif 000019
【図１９】
0005426342.tif 000020